(57)【要約】【課題】各種電子機器に使用される開閉装置に関し、開閉操作時の衝撃が少なく、滑らかな操作が可能なものを提供することを目的とする。【解決手段】一端が弾性部材１９に当接し、他端の緩衝カム１８が固定カム１２から突出する緩衝体１７を設けることによって、可動カム４が固定カム１２に弾接する際、可動カム４が先ず固定カム１２から突出した緩衝カム１８に当接し、弾性部材１９が撓むことで、可動カム４の固定カム１２への弾接による衝撃が緩和されるため、開閉操作時の衝撃が少なく、滑らかな操作が可能な開閉装置を得ることができる。【選択図】図１
2010007680.tif 000002
【特許請求の範囲】
【請求項１】
端面に固定カムが設けられた固定体と、この固定体に対し回転可能に配置されると共に、上記固定カムとの対向面に可動カムが設けられた可動体と、上記可動カムを上記固定カムに弾接させるばねからなり、一端が弾性部材に当接し、他端の緩衝カムが上記固定カムから突出する緩衝体を設けた開閉装置。
【発明の詳細な説明】
【技術分野】
【０００１】
本発明は、主に携帯電話やパーソナルコンピュータ等の、各種電子機器に使用される開閉装置に関するものである。
【背景技術】
【０００２】
近年、携帯電話やパーソナルコンピュータ等の電子機器の高機能化や小型化が進むなか、固定筐体に対し可動筐体が開閉可能に装着された、所謂、折畳み式のものが増えており、これらに用いられる開閉装置においても、確実で良好な開閉操作を行えるものが求められている。
【０００３】
このような従来の開閉装置について、図５〜図７を用いて説明する。
【０００４】
なお、これらの図面のうち、断面図等は固定カムと可動カムの関係を判り易くするため、径方向を拡大して表わしている。
【０００５】
図６は従来の開閉装置の断面図、図７は同分解斜視図であり、同図において、１は左端面に固定部１Ａが形成された略円筒状で金属製の固定体で、この右端面外周には、突出部２Ａ、及びこの突出部２Ａから上下へ延出する二つの傾斜部２Ｂ、２Ｃから形成された、一対の固定カム２が設けられている。
【０００６】
また、３は同じく略円筒状で金属製の可動体で、固定体１に対し開閉方向へ回転可能に、かつ軸線方向へ移動可能に配置されると共に、固定カム２との対向面である左端面外周には一対の可動カム４が設けられている。
【０００７】
そして、５は略円筒状で金属製の可動ケースで、左端の開口部から固定体１の固定部１Ａが回転可能に突出すると共に、外周に突出したガイド溝部５Ａには、可動体３外周の突起部３Ａが挿入され、可動体３が軸線方向へ移動可能に可動ケース５内に収納されている。
【０００８】
さらに、６はコイル状のばねで、可動体３右端面と可動ケース５内側面の間に、ばね６がやや撓んだ状態で装着され、このばね６によって可動体３が左方向へ付勢され、可動カム４の先端が固定カム２の傾斜部２Ｂへ弾接している。
【０００９】
また、７は略円柱状の固定軸で、この固定軸７の左端部に固定体１が固着されると共に、固定軸７の右端部は可動体３の中空部やばね６を挿通し、止め輪８によって、可動ケース５外側面に回転可能に装着されて、開閉装置１０が構成されている。
【００１０】
そして、このように構成された開閉装置１０が、例えば、図５の携帯電話の斜視図に示すように、固定体１の固定部１Ａが上面に複数のキーからなる操作部２１Ａやマイクロフォン等の音声入力部２１Ｂが形成された固定筐体２１へ、可動ケース５のガイド溝部５Ａ外周が、表面に液晶表示素子等の表示部２２Ａやスピーカ等の音声出力部２２Ｂが形成された可動筐体２２へ各々固着され、開閉装置１０によって固定筐体２１に対して可動筐体２２が開閉可能に軸支されて電子機器が構成される。
【００１１】
以上の構成において、図６に示すように、可動カム４の先端が固定カム２下側の傾斜部２Ｂへ弾接した状態では、可動体３がばね６によって下方向の閉方向へ付勢されているため、可動ケース５が装着された可動筐体２２は、固定筐体２１に対して閉じた状態で保持されている。
【００１２】
そして、この閉状態から、可動筐体２２を手で開くと、可動筐体２２にガイド溝部５Ａが装着固定された可動ケース５が回転し、可動体３が可動ケース５内を右方向の軸線方向へ回転しながら移動して、可動カム４先端が固定カム２の突出部２Ａを超えて上側の傾斜部２Ｃへ弾接すると、可動体３が上方向の開方向へ付勢されるため、この力によって可動筐体２２に開く方向の力が加わり、可動筐体２２が固定筐体２１に対して所定角度に開いた状態となる。
【００１３】
つまり、可動筐体２２に装着された可動ケース５を回転させることによって、ばね６に付勢された可動体３を軸線方向へ移動させ、可動カム４先端を固定カム２の傾斜部２Ｂまたは２Ｃのいずれかへ弾接させて、固定筐体２１に対する可動筐体２２の開閉操作が行われるように構成されている。
【００１４】
なお、以上のような開閉操作時に、可動筐体２２を手で所定角度まで開き、可動カム４先端が固定カム２の傾斜部２Ｂから突出部２Ａを超えた後は、ばね６に付勢された可動カム４が傾斜部２Ｃ上を速やかに弾接摺動するため、可動筐体２２の開操作を急速に行った場合には、可動カム４の固定カム２への衝突が手に衝撃として伝わる場合がある。
【００１５】
このため、高粘度の潤滑剤が塗布された複数の摩擦板が弾接したダンパー装置（図示せず）等を、固定筐体２１と可動筐体２２の間に別途設け、これによって可動筐体２２に一定の抵抗を与え、開閉装置１０による衝撃を緩和して、可動筐体２２の衝撃のない緩やかな開閉操作が可能となるように構成することが、一般に行われているものであった。
【００１６】
なお、この出願の発明に関連する先行技術文献情報としては、例えば、特許文献１が知られている。
【特許文献１】特開２００６−２５８１１７号公報
【発明の開示】
【発明が解決しようとする課題】
【００１７】
しかしながら、上記従来の開閉装置においては、開閉操作時の可動カム４の固定カム２への弾接による衝撃を防ぐため、別途ダンパー装置等を用いる必要があり、機器の構成が複雑なものになると共に、高価なものとなってしまうという課題があった。
【００１８】
本発明は、このような従来の課題を解決するものであり、開閉操作時の衝撃が少なく、滑らかな操作が可能な開閉装置を提供することを目的とする。
【課題を解決するための手段】
【００１９】
上記目的を達成するために本発明は、一端が弾性部材に当接し、他端の緩衝カムが固定カムから突出する緩衝体を設けて開閉装置を構成したものであり、可動カムが固定カムに弾接する際、可動カムが先ず固定カムから突出した緩衝カムに当接し、弾性部材が撓むことによって、可動カムの固定カムへの弾接による衝撃が緩和されるため、開閉操作時の衝撃が少なく、滑らかな操作が可能な開閉装置を得ることができるという作用を有するものである。
【発明の効果】
【００２０】
以上のように本発明によれば、開閉操作時の衝撃が少なく、滑らかな操作が可能な開閉装置を実現することができるという有利な効果が得られる。
【発明を実施するための最良の形態】
【００２１】
以下、本発明の実施の形態について、図１〜図５を用いて説明する。
【００２２】
なお、これらの図面の内、断面図等は固定カムと可動カムの関係を判り易くするため、径方向を拡大して表わしている。
【００２３】
また、背景技術の項で説明した構成と同一構成の部分には同一符号を付して、詳細な説明を簡略化する。
【００２４】
（実施の形態）
図１は本発明の一実施の形態による開閉装置の断面図、図２は同分解斜視図であり、同図において、１１は略円筒状で鋼や銅合金、焼結合金、或いは合成樹脂等の固定体で、この右端面外周には、突出部１２Ａ、及びこの突出部１２Ａから上下へ延出する二つの傾斜部１２Ｂ、１２Ｃから形成された、一対の固定カム１２が設けられている。
【００２５】
そして、３は同じく略円筒状で鋼や銅合金、焼結合金、或いは合成樹脂等の可動体で、固定体１１に対し開閉方向へ回転可能に、かつ軸線方向へ移動可能に配置されると共に、固定カム１２との対向面である左端面外周には一対の可動カム４が設けられている。
【００２６】
また、１５は略円筒状で鋼や銅合金、焼結合金、或いは合成樹脂等の可動ケースで、外周に突出した一対のガイド溝部１５Ａには、可動体３外周の一対の突起部３Ａが挿入され、可動体３が軸線方向へ移動可能に可動ケース１５内に収納されている。
【００２７】
さらに、６はコイル状で銅や鋼線製のばねで、可動体３右端面と可動ケース１５内側面の間に、ばね６がやや撓んだ状態で装着され、このばね６によって可動体３が左方向へ付勢され、可動カム４の先端が固定カム１２の傾斜部１２Ｂへ弾接している。
【００２８】
また、７は略円柱状で鋼や銅合金、焼結合金、或いは合成樹脂等の固定軸で、固定軸７の右端部が可動体３の中空部やばね６を挿通し、止め輪８によって、可動ケース１５外側面に回転可能に装着されている。
【００２９】
そして、１６は金属或いは合成樹脂等の固定カバーで、この固定カバー１６や固定体１１が固定軸７の左端部に固着されると共に、固定カバー１６が可動ケース１５左端の開口部を覆い、外周には固定部１６Ａが形成されている。
【００３０】
さらに、１７は鋼や銅合金、焼結合金、或いは合成樹脂等の緩衝体で、一対の緩衝体１７が固定体１１内周に軸線方向へ移動可能に装着されると共に、図１や図３の部分斜視図に示すように、右端に形成された緩衝カム１８が固定カム１２から右方向へ突出している。
【００３１】
また、１９は略柱状でスポンジ状やゲル状のウレタンやシリコーン、或いはこれらが積層された弾性部材で、一対の弾性部材１９が固定カバー１６右端面に装着されると共に、弾性部材１９右端に緩衝体１７左端が当接して、開閉装置２０が構成されている。
【００３２】
そして、このように構成された開閉装置２０が、例えば、図５の携帯電話の斜視図に示すように、固定カバー１６の固定部１６Ａが上面に複数のキーからなる操作部２１Ａやマイクロフォン等の音声入力部２１Ｂが形成された固定筐体２１へ、可動ケース１５のガイド溝部１５Ａ外周が、表面に液晶表示素子等の表示部２２Ａやスピーカ等の音声出力部２２Ｂが形成された可動筐体２２へ各々固着され、開閉装置２０によって固定筐体２１に対して可動筐体２２が開閉可能に軸支されて電子機器が構成される。
【００３３】
以上の構成において、図１や図４（ａ）の部分断面図に示すように、可動カム４の先端が固定カム１２下側の傾斜部１２Ｂへ弾接した状態では、可動体３がばね６によって下方向の閉方向へ付勢されているため、可動ケース１５が装着された可動筐体２２は、固定筐体２１に対して閉じた状態で保持されている。
【００３４】
また、この閉状態から、可動筐体２２を手で開くと、可動筐体２２にガイド溝部１５Ａが装着固定された可動ケース１５が回転し、可動体３が可動ケース１５内を右方向の軸線方向へ回転しながら移動して、図４（ｂ）に示すように、可動カム４先端が固定カム１２の突出部１２Ａを超え、上側の傾斜部１２Ｃへ弾接すると、可動体３が上方向の開方向へ付勢されるため、この力によって可動筐体２２に開く方向の力が加わる。
【００３５】
そして、この後、図４（ｃ）に示すように、ばね６によって左方向へ付勢された可動カム４先端が、固定カム１２から突出した緩衝カム１８に弾接し、緩衝体１７を押圧すると、図４（ｄ）に示すように、緩衝体１７左端が当接した弾性部材１９が撓んで弾性変形し、これによって緩衝体１７が左方向へ移動して、可動カム４先端が再び傾斜部１２Ｃへ弾接する。
【００３６】
さらに、この後、可動カム４先端が傾斜部１２Ｃ上を上方向へ弾接摺動するが、これ以降も、図４（ｅ）に示すように、先ず可動カム４が緩衝カム１８に弾接し、図４（ｆ）に示すように、これによって弾性部材１９がさらに撓み、緩衝体１７が左方向へ移動した後に、傾斜部１２Ｃへ弾接するということを連続して繰り返しながら、傾斜部１２Ｃ上を上方向へ弾接摺動する。
【００３７】
そして、図４（ｇ）に示すように、可動カム４先端が傾斜部１２Ｃの平坦部まで弾接摺動し、緩衝カム１８から外れこれを押圧しない状態になると、弾性復帰力によって弾性部材１９が元の状態に復帰し、緩衝カム１８が固定カム１２から右方向へ突出した状態に戻ると共に、可動筐体２２が固定筐体２１に対して所定角度、例えば１６０度前後に開いた状態で保持される。
【００３８】
なお、この開状態から可動筐体２２を手で閉じた場合にも、上記と同様に、下方向へ弾接摺動した可動カム４が先ず緩衝カム１８に弾接し、弾性部材１９が撓んで緩衝体１７が左方向へ移動した後に、傾斜部１２Ｃへ弾接するということを連続して繰り返しながら、可動カム４が下方向の閉方向へ移動して、閉操作が行われる。
【００３９】
つまり、開閉操作を行う際、ばね６によって付勢され固定カム１２上を弾接摺動する可動カム４が、先ず固定カム１２から突出した緩衝カム１８に当接し、弾性部材１９が撓んで緩衝体１７が移動した後に、傾斜部１２Ｃへ弾接するため、開閉操作が急速に行われた場合でも、可動カム４の固定カム１２への衝突による衝撃が緩和され、滑らかな操作が行えるようになっている。
【００４０】
すなわち、開閉操作に伴って、可動カム４が先ず緩衝カム１８に当接し、弾性部材１９が撓んで弾性変形することによって、あたかもダンパー装置（図示せず）等を用いた場合と同様に、可動カム４が固定カム１２へ弾接する際の衝撃が緩和され、簡易で安価な構成で、滑らかな操作感触が得られるように構成されている。
【００４１】
なお、弾性部材１９にコイル状で銅や鋼線製のばねや、或いはＵ字状に折曲された金属薄板製のばね等を用いても本発明の実施は可能であるが、上述したように、ウレタンやシリコーン等の合成樹脂、或いはこれらが積層されたものを用いることで、より好ましい効果を得ることができる。
【００４２】
つまり、弾性部材１９に上記のような金属製のばねを用いた場合、こうした金属製のばねは開閉操作の速さ、すなわち可動カム４が固定カム１２上を弾接摺動する速度に係わりなく、その全体の撓みに応じた所定の荷重、すなわちダンパー力が生じるため、可動筐体２２を急速に開閉操作した場合でも、緩やかに開閉操作した場合でも同様のダンパー力しか得られない。
【００４３】
これに対し、弾性部材１９に上述したような略柱状で合成樹脂製のものを用いた場合、開閉操作が緩やかに行われた場合には、金属製のばねと同様に、所定の力で弾性部材１９に所定の弾性変形が生じるが、急速に開閉操作が行われた場合、つまり可動カム４から緩衝カム１８に急速な力が加わった場合には、その速度が大きくなるほど大きな力が加わらないと、弾性部材１９には撓みが生じづらくなる。
【００４４】
すなわち、弾性部材１９に略柱状で合成樹脂製のものを用いることによって、開閉操作が急速に行われるほど、つまり可動カム４の固定カム１２への衝突による衝撃が大きくなるほど、弾性部材１９のダンパー力が大きなものとなり、衝撃を緩和する効果が顕著なものとなるように構成することができる。
【００４５】
このように本実施の形態によれば、一端が弾性部材１９に当接し、他端の緩衝カム１８が固定カム１２から突出する緩衝体１７を設けることによって、可動カム４が固定カム１２に弾接する際、可動カム４が先ず固定カム１２から突出した緩衝カム１８に当接し、弾性部材１９が撓むことで、可動カム４の固定カム１２への弾接による衝撃が緩和されるため、開閉操作時の衝撃が少なく、滑らかな操作が可能な開閉装置を得ることができるものである。
【００４６】
なお、以上の説明では、手で可動筐体２２を開閉操作し、これに固着された可動ケース１５を回転させて、可動カム４を固定カム１２に弾接摺動させる構成について説明したが、押釦や、可動カム４の固定カム１２への弾接位置を反転させる反転カム等の部品を別途設け、手による開閉操作に加え、閉状態から押釦の押圧操作によって可動筐体２２を自動的に開く、所謂、ワンプッシュオープン構造の開閉装置においても、本発明の実施は可能である。
【産業上の利用可能性】
【００４７】
本発明による開閉装置は、開閉操作時の衝撃が少なく、滑らかな操作が可能なものを得ることができ、主に各種電子機器に使用される開閉装置として有用である。
【図面の簡単な説明】
【００４８】
【図１】本発明の一実施の形態による開閉装置の断面図
【図２】同分解斜視図
【図３】同部分斜視図
【図４】同部分断面図
【図５】携帯電話の斜視図
【図６】従来の開閉装置の断面図
【図７】同分解斜視図
【符号の説明】
【００４９】
３  可動体
３Ａ  突起部
４  可動カム
６  ばね
７  固定軸
８  止め輪
１１  固定体
１２  固定カム
１２Ａ  突出部
１２Ｂ、１２Ｃ  傾斜部
１５  可動ケース
１５Ａ  ガイド溝部
１６  固定カバー
１６Ａ  固定部
１７  緩衝体
１８  緩衝カム
１９  弾性部材
２０  開閉装置
２１  固定筐体
２１Ａ  操作部
２１Ｂ  音声入力部
２２  可動筐体
２２Ａ  表示部
２２Ｂ  音声出力部
【図１】
2010007680.tif 000003
【図２】
2010007680.tif 000004
【図３】
2010007680.tif 000005
【図４】
2010007680.tif 000006
【図５】
2010007680.tif 000007
【図６】
2010007680.tif 000008
【図７】
2010007680.tif 000009